【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
移動体に備え付けられ、現在位置の特定を行う移動体用情報処理装置であって、
広域で用いられる広域情報から位置情報を検出する広域位置情報検出手段と、
狭域で用いられる狭域情報を取得する狭域情報取得手段と、
前記狭域情報に基づいて、前記広域位置情報検出手段が検出した位置情報を修正して現在位置を特定する現在位置特定手段とを含む、移動体用情報処理装置。
【請求項２】
前記狭域情報には、前記狭域情報を無線で送信する送信局が配置されている配置場所に関する情報が含まれており、
前記現在位置特定手段は、前記配置場所に関する情報に基づいて現在位置を特定することを特徴とする、請求項１に記載の移動体用情報処理装置。
【請求項３】
前記狭域情報には、前記狭域情報を無線で送信する送信局が位置する緯度経度が含まれており、
前記現在位置特定手段は、前記緯度経度に基づいて前記広域位置情報検出手段が検出した位置情報を修正して現在位置を特定することを特徴とする、請求項１または２に記載の移動体用情報処理装置。
【請求項４】
さらに、地図データを格納する地図記憶媒体と、
前記現在位置特定手段が特定した現在位置に対応する地図データを前記地図記憶媒体から読み出し、現在位置の地図を表示する地図表示手段と、
前記地図表示手段の地図表示に基づいて経路案内を行う経路案内手段とを含む、請求項１に記載の移動体用情報処理装置。
【請求項５】
前記狭域情報には、現在位置の周辺情報が含まれており、
前記地図表示手段は、現在位置の地図と共に、前記周辺情報も併せて表示することを特徴とする、請求項４に記載の移動体用情報処理装置。
【請求項６】
前記経路案内手段は、前記周辺情報に基づいて経路案内することを特徴とする、請求項５に記載の移動体用情報処理装置。
【請求項７】
前記狭域情報には、地図情報が含まれており、
さらに、地図記憶媒体で格納された地図データと前記狭域情報の地図情報とを用いて地図データを表示する地図表示手段と、
前記地図表示手段の地図表示に基づいて経路案内を行う経路案内手段とを含む、請求項１に記載の移動体用情報処理装置。
【請求項８】
さらに、前記狭域情報を無線で送信する送信局に対し、ユーザが所望する狭域情報の送信を要求する狭域情報要求手段と、
前記所望する狭域情報を前記送信局から取得する所望狭域情報取得手段と、
前記所望狭域情報取得手段が取得した狭域情報を表示する所望狭域情報表示手段とを含む、請求項１に記載の移動体用情報処理装置。
【請求項９】
さらに、ユーザが所望する狭域情報を受け付ける受付部と、
前記受付部で受け付けた所望の狭域情報を前記送信局から取得する所望狭域情報取得手段と、
前記所望狭域情報取得手段が取得した狭域情報を表示する所望狭域情報表示手段とを含む、請求項１に記載の移動体用情報処理装置。
【請求項１０】
移動体の現在位置を特定するためのシステムであって、
現在位置の特定を行う移動体用情報処理装置と、
狭域で用いられる狭域情報を無線で送信する狭域情報送信局とを備え、
前記移動体用情報処理装置は、
広域で用いられる広域情報から位置情報を検出する広域位置情報検出手段と、
前記狭域情報送信局から送信される前記狭域情報を取得する狭域情報取得手段と、
前記狭域情報に基づいて、前記広域位置情報検出手段が検出した位置情報を修正して現在位置を特定する現在位置特定手段とを含む、移動体用情報システム。
【請求項１１】
さらに、ネットワークを介して前記狭域情報送信局と接続されており、前記移動体用情報処理装置からの要求に応じて、所望の狭域情報を、前記狭域情報送信局を介して、前記移動体用情報処理装置に送信する狭域情報送信サーバとを備える、請求項１０に記載の移動体用情報システム。
【請求項１２】
広域で用いられる広域情報および狭域で用いられる狭域情報に基づいて移動体の現在位置を特定するためのシステムに用いられる前記狭域情報を無線で送信するための送信局であって、
自己が位置する正確な緯度経度および／または自己が配置されている配置場所に関する情報を前記狭域情報に含めて送信する狭域情報送信手段を含む、狭域情報送信局。
【請求項１３】
広域で用いられる広域情報および狭域で用いられる狭域情報に基づいて移動体の現在位置を特定するためのシステムに用いられるサーバであって、
ネットワークを介して接続されている前記狭域情報を無線で送信するための送信局からの要求に応じて、所望の狭域情報を、前記送信局に送信する狭域情報送信手段を含む、狭域情報送信サーバ。
【請求項１４】
前記狭域情報送信手段は、予め登録されている移動体宛にのみ狭域情報を送信することを特徴とする、請求項１３に記載の狭域情報送信サーバ。
【請求項１５】
現在位置の特定を行う方法であって、
広域で用いられる広域情報から位置情報を検出するステップと、
狭域で用いられる狭域情報を取得するステップと、
前記狭域情報に基づいて、前記広域情報から前記位置情報を検出するステップで検出した位置情報を修正して現在位置を特定するステップとを含む、現在位置特定方法。
【請求項１６】
現在位置の特定を行うプログラムを記録したコンピュータ読みとり可能な記録媒体であって、
広域で用いられる広域情報から位置情報を検出するステップと、
狭域で用いられる狭域情報を取得するステップと、
前記狭域情報に基づいて、前記広域情報から前記位置情報を検出するステップで検出した位置情報を修正して現在位置を特定するステップとを含むプログラムが格納された、記録媒体。
【請求項１７】
現在位置の特定を行うコンピュータで実行されるプログラムであって、
広域で用いられる広域情報から位置情報を検出するステップと、
狭域で用いられる狭域情報を取得するステップと、
前記狭域情報に基づいて、前記広域情報から前記位置情報を検出するステップで検出した位置情報を修正して現在位置を特定するステップとを含む、現在位置特定プログラム。
【手続補正２】
【補正対象書類名】明細書
【補正対象項目名】００２７
【補正方法】変更
【補正の内容】
【００２７】
第１１の発明は、第１０の発明に従属する発明であって、さらに、ネットワークを介して狭域情報送信局と接続されており、移動体用情報処理装置からの要求に応じて、所望の狭域情報を、狭域情報送信局を介して、移動体用情報処理装置に送信する狭域情報送信サーバとを備える。
【手続補正３】
【補正対象書類名】明細書
【補正対象項目名】００３３
【補正方法】変更
【補正の内容】
【００３３】
第１５の発明は、現在位置の特定を行う方法であって、
広域で用いられる広域情報から位置情報を検出するステップと、
狭域で用いられる狭域情報を取得するステップと、
狭域情報に基づいて、広域情報から位置情報を検出するステップで検出した位置情報を修正して現在位置を特定するステップとを含む。
【手続補正４】
【補正対象書類名】明細書
【補正対象項目名】００３４
【補正方法】変更
【補正の内容】
【００３４】
第１６の発明は、現在位置の特定を行うプログラムを記録したコンピュータ読みとり可能な記録媒体であって、
広域で用いられる広域情報から位置情報を検出するステップと、
狭域で用いられる狭域情報を取得するステップと、
狭域情報に基づいて、広域情報から位置情報を検出するステップで検出した位置情報を修正して現在位置を特定するステップとを含むプログラムが格納されている。
【手続補正５】
【補正対象書類名】明細書
【補正対象項目名】００３５
【補正方法】変更
【補正の内容】
【００３５】
第１７の発明は、現在位置の特定を行うコンピュータで実行されるプログラムであって、
広域で用いられる広域情報から位置情報を検出するステップと、
狭域で用いられる狭域情報を取得するステップと、
狭域情報に基づいて、広域情報から位置情報を検出するステップで検出した位置情報を修正して現在位置を特定するステップとを含む。